(57)【要約】【課題】重さの重い商品を入れても持ちやすく、丈夫で実用的なレジ袋用取手を提供と、該レジ袋用取手を用いて、使えるレジ袋を活用し、必要以上のレジ袋の使用を控えさせ、環境保全に資すること。【解決手段】新規にレジ袋１２を配布する時にレジ袋１２とともに顧客に対して頒布されるレジ袋用取手１１を設け、該レジ袋用取手１１内に、折畳んだレジ袋１２を出し入れ自在に収納可能な収納空間１３を設けて中空箱状に形成し、下端部には、前後方向に貫通してレジ袋１２の提げ手１２ａを受ける受け部１４を設け、外側面あるいは内側面における機械読み取りを可能とする適宜部位には、当該レジ袋用取手１１の利用者を特定すべく当該レジ袋用取手１１を識別する機械読み取り可能な取手識別符号２０を設けたレジ袋用取手１１。【選択図】    図１
2004337211.tif 000002
【特許請求の範囲】
【請求項１】
新規にレジ袋を配布する時にレジ袋とともに顧客に対して頒布されるレジ袋用取手を設け、
該レジ袋用取手内に、折畳んだレジ袋を出し入れ自在に収納可能な収納空間を設けて中空箱状に形成し、
下端部には、前後方向に貫通してレジ袋の提げ手を受ける受け部を設け、
外側面あるいは内側面における機械読み取りを可能とする適宜部位には、当該レジ袋用取手の利用者を特定すべく当該レジ袋用取手を識別する機械読み取り可能な取手識別符号を設けた
レジ袋用取手。
【請求項２】
前記受け部を、レジ袋の提げ手と手指との間に介在する細幅板状の介在部と、該介在部の左右両側に立設して上記提げ手の左右方向での移動を阻止する規制片とで構成し、
これら規制片のうちの少なくともいずれか一方の上方には、前記収納空間、および受け部の上方を開閉する開閉蓋を、ヒンジ部を介して設けた
請求項１に記載のレジ袋用取手。
【請求項３】
前記受け部と開閉蓋とヒンジ部とを合成樹脂で一体成形した
請求項１または２に記載のレジ袋用取手。
【請求項４】
少なくとも一部に、内部を透視可能な透視部を形成した
請求項１、２または３に記載のレジ袋用取手。
【請求項５】
前記請求項１から請求項４のうちのいずれか一項に記載のレジ袋用取手と、
該レジ袋用取手とともに持参されたレジ袋と、
該持参されたレジ袋の有りの判別に基づいて、顧客に対する会計処理に際して顧客への販売品に付された商品識別符号とともに顧客の持参したレジ袋用取手の取手識別符号を読み取る読取装置と、
該読み取り装置で読み取った商品識別符号および取手識別符号を、販売データ記憶部に記憶する記憶装置とを備えた
レジ袋活用システム。
【請求項６】
前記記憶装置とネットワークを介して通信可能に接続し、保有する販売データ記憶部に前記記憶装置からの商品識別符号と取手識別符号とを記憶する上位機器を備えた
請求項５に記載のレジ袋活用システム。
【請求項７】
コンピュータに記録されることにより、該コンピュータを駆動し、顧客に対して行った販売内容で構成される販売データが入力される販売データ入力ステップと、
該販売データ入力ステップに同期して、新規にレジ袋を配布するときにレジ袋とともに顧客に頒布され機械読み取り可能で、利用者を特定すべくレジ袋用取手を識別可能な取手識別符号を有するレジ袋用取手から読取装置で読み取られた取手識別符号の入力を許容する取手識別符号入力ステップとを設け、
顧客がレジ袋を持参したと判別されたときに上記取手識別符号入力ステップで入力された取手識別符号を、販売データとともに販売データ記憶部に記憶させる
レジ袋活用プログラム。
【発明の詳細な説明】
【０００１】
【発明の属する技術分野】
この発明は、例えばスーパやコンビニエンスストア等で商品を購入したときに商品を入れてもらう合成樹脂製の袋、すなわちレジ袋を手に提げ手持つのを容易にするためのレジ袋用取手に関する。
【０００２】
【従来の技術】
スーパ等では商品を入れるようにレジ袋を渡してくれるのが一般的である。そしてその商品としては、近年、１リットル以上の大きなペットボルトや米等の重い商品も増えていて、手に提げて持つときにレジ袋の提げ手が手に食い込み、痛くて持ちにくい。
【０００３】
そこでレジ袋を提げても手が痛くないようにする取手が提案されている。その取手には、例えば特許文献１に記載のものがある。
【０００４】
この特許文献１に記載の取手は、手に握れる大きさの直方体状で２つ割り状に開閉可能に形成し、長さ方向の両端に、レジ袋の提げ手を引っ掛けるフック状をなす一対の係止片を突出形成している。そして内部には、レジ袋を収納可能な空間を設けたものである。
【０００５】
しかしこのような取手では、レジ袋の提げ手が手に食い込むことはないが、レジ袋の提げ手を係止する係止片を突設しているので、荷重は係止片の根元で支えることになり集中荷重が掛かりやすく、また持ち歩くときに他のものと接触して折れやすいなど、強度の点で難点がある。
【０００６】
また、上記特許文献１では取手やレジ袋が使い捨てにならず、環境問題上好ましいとも記載されている。
【０００７】
しかし実際には、上述のように取手の強度が高くない問題点があり、取手については実際上使い捨てに近い状態になりやすい。また取手には上述のような突出した係止片を形成しているので、ポケットに入れたり、バッグに入れたりしたときに他のものと引っかかったりして扱いにくく、現実的には利用しにくいものであった。取手がこのようなものであるので、レジ袋についても、結局は使い捨てに近い状態になり、効果は望めない。
【０００８】
上記の環境問題の点に関しては、例えば買い物袋を持参し、レジ袋を使用しないことで特典が与えられるシステムが提案されている。
【０００９】
そのシステムは、エココインと称する媒体やシールからなる媒体を用いたもので、これらをためる商品券と交換したり、金券と同様に使用できたりするというものである。
【００１０】
しかし、このようなシステムでは、買い物自体やそれを通じての行為とはまったく無関係な別の媒体を使用するので、媒体の取り扱いや管理の手間が新たに増えて面倒である上に、その様な処理が余分な作業となるので長続きしにくい問題点がある。
【００１１】
また、特許文献２のような省資源サービスシステムも提案されている。これは専用の買い物袋を用意し、この買い物袋に利用者の年齢、性別、住所、電話番号、家族構成などの個人情報を基に登録された識別コードを付して、この買い物袋を持参して買い物がなされた場合に、ポイントを発行しようとするものである。
【００１２】
しかしこのようなシステムでは、個人情報が不可欠であり、また登録のための手続きも必要であって、手間が掛かる。登録手続きは、レジとは別にサービスカウンタを設けて、そこで行うが、顧客にとっては記載作業が面倒であり、わずかではあるが時間も掛かる。その上、個人情報を出すことになるため、情報漏洩の心配もあって登録が普及しにくい一面がある。また店側にとっても、用紙やカード等の準備に費用が掛かる上に忙しい時間帯などに手続き要請があると、大変な作業となる。
【００１３】
また専用の袋を使用するため、例えば勤め帰りなどに買い物をしようとする場合には、職場にまで買い物袋を持ってゆかねば利用できず、現実的ではない。このように、顧客に負担をかけるものであった。そのうえ登録時には買い物袋を購入させると記載されており、実効性に乏しいシステムであった。
【００１４】
さらにこのようなサービスは、店舗ごとや会社ごと、商店会ごとというようなまとまり易いエリアでは行われても、例えば同一市町村など、複数の競業他社が混在するエリア・単位では、互いの利害が絡むゆえに現実には行われることがなかった。
【００１５】
【特許文献１】
特開平５−３１７１１７号公報
【特許文献２】
特開２００２−２４５１５４号公報。
【００１６】
【発明が解決しようとする課題】
そこでこの発明は、重さの重い商品を入れても持ちやすく、丈夫で実用的なレジ袋用取手を提供することを主たる課題とする。また、それとともに、レジ袋の利点を生かして顧客の利便性を保ちながらも、使えるレジ袋を活用して必要以上のレジ袋の使用を控えさせ、環境保全に資することも課題とする。
【００１７】
【課題を解決するための手段】
そのための手段は、新規にレジ袋を配布する時にレジ袋とともに顧客に対して頒布されるレジ袋用取手を設け、該レジ袋用取手内に、折畳んだレジ袋を出し入れ自在に収納可能な収納空間を設けて中空箱状に形成し、下端部には、前後方向に貫通してレジ袋の提げ手を受ける受け部を設け、外側面あるいは内側面における機械読み取りを可能とする適宜部位には、当該レジ袋用取手の利用者を特定すべく当該レジ袋用取手を識別する機械読み取り可能な取手識別符号を設けたレジ袋用取手であることを特徴とする。
【００１８】
上記「新規にレジ袋を配布する時」とは、顧客が取手を所有していない状態でレジ袋を配布する時のことであって、例えば取手を初めて利用しようとするようなときである。所有していても所持（持参）していない時などは「新規にレジ袋を配布する時」ではない。
【００１９】
すなわち、レジ袋用取手は、レジ袋用取手未所有の顧客が、レジ袋用取手を利用する意思を以って初めて買い物をしたときに、その購入商品を入れるように配布するレジ袋とともに頒布される。顧客は商品をレジ袋に入れるとともに、レジ袋の提げ手を受け部で受けるように提げ手に対してレジ袋用取手を取り付けて、上記受け部の下側に手をかけて提げて持ち帰る。そして商品を取り出した後は、空になったレジ袋を、内部の収納空間に収納し、次の買い物のときにレジ袋用取手を持参する。持参されたレジ袋用取手の取手識別符号は、会計処理時に例えばバーコード読み取り装置などの機械で読み取られる。また購入した商品は、収納空間に収納されたレジ袋を取り出して、これに入れて持ち帰る。レジ袋用取手は、再び持ち運び用の取手として使用できる。
【００２０】
レジ袋用取手を用いてレジ袋を提げるときには、前後方向に貫通した受け部がレジ袋の提げ手を受けるので、レジ袋の荷重を支えるのは受け部であって、その下は手が支えるので、レジ袋用取手の一部に集中荷重が掛かることを防ぐことができる。
【００２１】
好ましくは、上記受け部を、レジ袋の提げ手と手指との間に介在する細幅板状の介在部と、該介在部の左右両側に立設して上記提げ手の左右方向での移動を阻止する規制片とで構成し、これら規制片のうちの少なくともいずれか一方の上方には、前記収納空間、および受け部の上方を開閉する開閉蓋を、ヒンジ部を介して設けるとよい。
【００２２】
また、上記受け部と開閉蓋とヒンジ部とを合成樹脂で一体成形するもよく、少なくとも一部に、内部を透視可能な透視部を形成するもよい。
【００２３】
別の手段は、上記レジ袋用取手と、該レジ袋用取手とともに持参されたレジ袋と、該持参されたレジ袋の有りの判別に基づいて、顧客に対する会計処理に際して顧客への販売品に付された商品識別符号とともに顧客の持参したレジ袋用取手の取手識別符号を読み取る読取装置と、該読取装置で読み取った商品識別符号および取手識別符号を、販売データ記憶部に記憶する記憶装置とを備えたレジ袋活用システムであることを特徴とする。
【００２４】
すなわち、上記レジ袋用取手は、レジ袋用取手未所有の顧客が、レジ袋用取手を利用する意思を以って初めて買い物をしたときに、その購入商品を入れるように配布するレジ袋とともに頒布される。顧客は商品をレジ袋に入れるとともに、レジ袋の提げ手を受け部で受けるように提げ手に対してレジ袋用取手を取り付けて、上記受け部の下側に手をかけて提げて持ち帰る。そして商品を取り出した後は、空になったレジ袋を、内部の収納空間に収納し、次の買い物のときにレジ袋用取手を持参する。持参されたレジ袋用取手は、会計時に提示してもらい、提示されたレジ袋用取手の取手識別符号は、例えばバーコード読取装置などの機械で読み取られる。そしてこの取手識別符号は、持参者（顧客）が購入した買い物のデータ（販売データ）として記憶装置の販売データ記憶部に記憶される。顧客は、収納空間に収納されたレジ袋を取り出して、これに購入した商品を入れ、レジ袋用取手を使って持ち帰る。
【００２５】
上記販売データは、該当する取手識別符号が付されたレジ袋用取手を所有する顧客への特典、例えば割引や抽選などの様々なサービスに活用される。また、取手識別符号を伴う販売データと、識別符号を伴わない販売データとを別々に記憶することで、顧客の動向を知ることができ、営業活動等に役立つ。
【００２６】
好ましくは、前記記憶装置とネットワークを介して通信可能に接続し、保有する販売データ記憶部に前記記憶装置からの商品識別符号と取手識別符号とを記憶する上位機器を備えるとよい。
【００２７】
これにより、例えばスーパの場合、上位機器を本店に置いたりすれば同一店舗内のみでの実施に限られず、同一会社の複数の店舗間を１つのエリアとしてこのエリア内で実施することができる。同様に、エリアを適宜設定すれば、商店会等の団体、競業他社が混在する市町村などへとエリアを拡大することができる。
【００２８】
さらに別の手段は、コンピュータに記録されることにより、該コンピュータを駆動し、顧客に対して行った販売内容で構成される販売データが入力される販売データ入力ステップと、該販売データ入力ステップに同期して、新規にレジ袋を配布するときにレジ袋とともに顧客に頒布され機械読み取り可能で、利用者を特定すべくレジ袋用取手を識別可能な取手識別符号を有するレジ袋用取手から読取装置で読み取られた取手識別符号の入力を許容する取手識別符号入力ステップとを設け、顧客がレジ袋を持参したと判別されたときに上記取手識別符号入力ステップで入力された取手識別符号を、販売データとともに販売データ記憶部に記憶させるレジ袋活用プログラムであることを特徴とする。
【００２９】
【発明の効果】
以上のように、この発明のレジ袋用取手によれば、新規にレジ袋を配布する時にレジ袋とともに顧客に対して頒布されるレジ袋用取手は、レジ袋に商品を入れて持ち帰るときに、レジ袋の提げ手に取り付けることで商品が重いものであっても手が痛くならずに容易に提げることができる。
【００３０】
しかも、レジ袋用提げ手には、前後方向に貫通してレジ袋の提げ手を受ける受け部を設けており、レジ袋の荷重は受け部を介して直接的に手で支えるので、従来のようにレジ袋用取手の一部に集中荷重が掛かることはなく、強度を維持できる。
【００３１】
また受け部は、前後方向に貫通して形成しており、従来のように前後方向に突出して形成していないので、所持中に何らかの物品と当たって折れるなどのおそれもなく、丈夫である。
【００３２】
そして内部には、折畳んだレジ袋を出し入れ自在に収納可能な収納空間を形成しているので、一度使用したレジ袋は収納しておけば、次回の買い物のときに簡単にレジ袋を持参することができることになる。
【００３３】
またレジ袋用取手の利用者を特定する機械読み取り可能な取手識別符号を設けているので、レジ袋を持参した顧客に対しては、購入商品の商品識別符号とともに上記取手識別符号を読み取って管理することで、顧客に対する特典の付与など、顧客に対する正当で公平なサービスの実現ができる。
【００３４】
請求項２に係る発明のように、受け部を、レジ袋の提げ手と手指との間に介在する細幅板状の介在部と、該介在部の左右両側に立設して上記提げ手の左右方向での移動を阻止する規制片とで構成すると、その形状により剛性を得ることができ、より高い強度を得られる。また、規制片のうちの少なくともいずれか一方の規制片の上方には、収納空間、および受け部の上方を開閉する開閉蓋を、ヒンジ部を介して設けると、開閉蓋はヒンジ部の回転で開閉するので、取り扱いが容易である。また、開閉蓋が収納空間を塞ぐので、収納部に収納したレジ袋が不測に脱落することを防止できる。
【００３５】
請求項３に係る発明のように、受け部と開閉蓋とヒンジ部とを合成樹脂で一体成形すると、安価に製造できるとともに、開閉等の取り扱いも容易である。
【００３６】
請求項４に係る発明のように、少なくとも一部に、内部を透視可能な透視部を形成すると、外側から見ただけで、レジ袋を持参したか否か、あるいはレジ袋が収納されているか否かの判別が容易に行えるので良い。
【００３７】
この発明のレジ袋活用システムによれば、まず、新規に配布されるレジ袋とともに顧客に頒布されたレジ袋用取手は、顧客が商品をレジ袋に入れて持ち帰るときに使用され、顧客の手がレジ袋内の商品の重みで痛くなることを防止して、容易に持ち帰らせることができる。また、商品を取り出して空になったレジ袋は、折畳んで収納空間内に収めると、顧客が次の買い物のときにレジ袋を持参するのを忘れることを防止できる。取手の形であるので、ポケットにもバッグにも入れることができ、職場等へ持ち歩くことも容易である。
【００３８】
また、買い物時にレジ袋とともに持参されたレジ袋用取手は、会計時に提示してもらうと、持参されたレジ袋があるとの判別に基づいて、提示されたレジ袋用取手の取手識別符号は、例えばバーコード読取装置などの機械で読み取られる。そしてこの取手識別符号は、持参者（顧客）が購入した買い物のデータとして記憶装置の販売データ記憶部に記憶されて、その記憶内容に応じた特典を受けられる。
【００３９】
さらに取手識別符号は、頒布されたもの、すなわち無作為に与えられたものであって、住所や氏名、年齢、家族構成等一切の個人情報を必要としないので、顧客の側には個人情報漏洩などの心配はなく、気軽にシステムを利用することができる。
【００４０】
このように、折畳めば小さくなる便利なレジ袋を活用して顧客の利便性を確保することができる。
【００４１】
一方、商品を販売する店側は、あらかじめ頒布用に備えたレジ袋用取手をレジ袋とともに頒布するだけでよく、特別に登録したりする手間や登録に要する書類等を用意する必要もないので、手間もコストもかからない。サービスカウンタのような特別な場所は不要で、レジのみで対応できる。
【００４２】
また、レジ袋を持参した顧客に特典を与えるなどして、袋持参行為を盛んにすることで、レジ袋の消費を抑え、経費の削減ができる。
【００４３】
さらに、取手識別符号を伴う販売データと、取手識別符号を伴わない販売データとを別々に記憶することで、顧客の動向を知ることができ、営業活動等に役立つ。
【００４４】
このように店側にとっても、経費をかけずに大きな利益が得られる。
【００４５】
請求項６に係る発明のように、記憶装置とネットワークを介して通信可能に接続し、保有する販売データ記憶部に前記記憶装置からの商品識別符号と取手識別符号とを記憶する上位機器を備えると、実施するエリアを自由に広げることができる。特に、上述のようなレジ袋を活用し、持参を促進し、無駄に捨てられるレジ袋の量を減らす有用なシステムを広範囲で行うようにすることかできるので、これまでにない、画期的で有利な効果が得られる。特に、レジ袋を多用するスーパとコンビニエンスストアなど、異種でしかも競業他社間での実施も可能となる。
【００４６】
また、実施のためには、既存のＰＯＳを利用することができ、そのＰＯＳに所定のプログラムをインストールするだけでよく、容易である。
【００４７】
このため、地域が主体となっての導入が容易で、さらに顧客にとっては、例えば商品に応じて店を選んで買い物しても、また異種類の商品を複数の店で購入しても、同じように特典やサービスを受けることができる利点があ。したがって、資源の有効利用を可能とする袋持参運動を無理なく拡大させることができる。
【００４８】
【発明の実施の形態】
この発明の一実施の形態を、以下図面を用いて説明する。
図１は、レジ袋用取手１１（以下、取手という）と、その使用状態を示す斜視図であり、この取手１１は、レジ袋１２の提げ手１２ａに取り付けることで、レジ袋１２の中身が重くても提げ手１２ａが手に食い込まない様にして、持ちやすくするものである。
【００４９】
取手１１は、合成樹脂の一体成形で形成する。合成樹脂には、例えばポリプロピレンやポリエチレンなど、手になじみやすい軟質のものがよい。
【００５０】
その形状は、掌に握れる程度の大きさで中空状の、直方体箱状で、図２、図３に示したように、折畳んだレジ袋１２を出し入れ自在に収納する収納空間１３と、レジ袋１２の提げ手１２ａを受ける断面Ｕ字状の受け部１４と、該受け部１４の上方と上記収納空間１３を開閉する開閉蓋１５，１６と、これら開閉蓋１５，１６を開閉可能に連結するヒンジ部１７とを有する。
【００５１】
上記収納空間１３は、図３に示したように、折畳んだレジ袋１２を、１枚またはそれ以上収納できる適宜の大きさに、そのタテとヨコと厚みを設定して形成する。
【００５２】
上記受け部１４は、前後（長手）方向に貫通するＵ溝状で、レジ袋１２の提げ手１２ａと手指との間に介在する細幅板状の介在部１４ａと、該介在部１４ａの左右両側に立設して、受けた提げ手１２ａの左右方向での移動を阻止する規制片１４ｂとで構成している。介在部１４ａと規制片１４ｂの境界部分は丸く形成し、手に対する当たりを和らげている。
【００５３】
また、介在部１４ｃの前後（長手）方向両端の下面には、手指との間で引っ掛かりとなるストッパ部１４ｃを断面円形に突設している。
【００５４】
上記開閉蓋１５，１６は、薄肉状の上記ヒンジ部１７を介して、上記規制片１４ｂの上縁に連設される。開閉蓋１５，１６はそれぞれ、ヒンジ部１７から連設された表板１５ａ，１６ａと、該表板１５ａ，１６ａの前後（長手）方向両側の前後板１５ｂ，１６ｂと、表板１５ａ，１６ａの上から連設された上板１５ｃ，１６ｃとの４面からなる形状で、各開閉蓋１５，１６における前後板１５ｂ，１６ｂおよび上板１５ｃ，１６ｃの対向縁には、相互に噛み合う段差からなる係合縁１５ｄ，１６ｄを形成している。
【００５５】
また上板１５ｃ，１６ｃの先端部中央には、上記係合縁１５ｄ，１６ｄ同士が噛み合った状態、すなわち閉塞状態を保持する相互に係脱可能な係合凸部１８または係合凹部１９を形成している。係止凸部１８を有する側の開閉蓋１６の上板１６ｃには、係合凹部１９を有する部位の先端縁を引き上げ操作しやすくするため若干の凹所１６ｅを形成している。
【００５６】
そして、上記開閉蓋１５，１６のうち一方の開閉蓋１５の表板１５ａ中央部には、利用者を特定すべく当該取手１１を識別する機械読み取り可能な取手識別符号として、バーコード２０を取り付けている。
【００５７】
このバーコード２０は、図４に示したように、バーコード２０を印刷した媒体の厚みよりも深い若干の深さの段部２１を形成し、この段部２１に埋設するように貼り付けるとよい。バーコード２０はプリント等その他の手段で形成するもよい。バーコード２０の上には透明の被覆材２２をラミネートして、バーコード２０を保護する。
【００５８】
なお、取手１１を構成する合成樹脂の色は適宜選択すればよいが、好ましくは、透明、不透明、または乳白色等にして、内部を透視できるようにするとよい。この場合、表面全体が透視部である。複数の部材を組み合わせて、または複数種類の材料で一体成形して、透視可能な部分を部分的に形成したした場合には、その部分のみが透視部となる。
【００５９】
透視部を形成すると、顧客側からしても店側からしても、収納部１３内のレジ袋１２の有無が一目で判る利点がある。
【００６０】
このような構成の取手１１は、図５に示したように、開閉蓋１５，１６を開いた状態にして、提げ手１２ａを束ねたレジ袋１２の提げ手１２ａに対して、下から受けるようにしてあてがって開閉蓋１５，１６を閉じればよく、取り付けは簡単である。
【００６１】
図６は、上記のような取手１１を用いたレジ袋活用システム３１の概観を示す構成図であり、図７はその構成を示すブロック図である。
【００６２】
すなわち、このレジ袋活用システム３１は、スーパーマーケットやコンビニエンスストア等で配布されるレジ袋を、顧客の便宜を図りつつ、有効に利用できるようにするものであり、上記取手識別符号としてのバーコード２０を有した取手１１と、この取手１１の取手識別符号を読み取る読取装置と、読み取った取手識別符号を販売データ記憶部に記憶する記憶装置とを備えている。
【００６３】
上記取手１１以外は、既存のＰＯＳ（ｐｏｉｎｔ    ｏｆ    ｓａｌｅ）で構成することができる。すなわちスーパーマーケット等では、ＰＯＳ端末、つまりレジスタ３２（電子金銭登録機）と、このレジスタ３２からの出力データを収集し記憶する上記記憶装置としてのホストコンピュータ３３があれば構成できる。
【００６４】
レジスタ３２は、図２にも示したように、商品に付された商品識別符号、つまりバーコードを読み取るバーコード読取装置３４（上記読み取り装置）と、必要な入力操作を行うためのキーボード３５と、バーコード読取装置３４やキーボード３５から入力された事項や清算結果を目視可能な状態に表示する表示部３６と、この表示部３６に表示されたものと同等の内容を紙に印字してレシートとして出力するレシート発行部３７とを備え、制御部３８で制御している。
【００６５】
上記バーコード読取装置３４では、上記取手１１のバーコード２０も商品のバーコード２０の場合と同様に読み取る。
【００６６】
上記ホストコンピュータ３３は、上記レジスタ３２と通信可能に接続され、ＣＤ−ＲＯＭ、ＭＯ等の記憶媒体３９、または記憶媒体３９からハードディスクにインストールして記憶したレジ袋活用プログラムに従って駆動する。すなわち制御部４０は、上記レジ袋活用プログラムに従って識別情報記憶部４１や販売データ記憶部４２に対し、データの読み出しや記憶を行う。
【００６７】
上記識別符号記憶部４１は、予め必要数の取手識別符号を記憶している。またその取手識別符号は、上述のように取手１１自体の識別を行えるもので、同一の取手識別符号が存在しないように例えば適宜桁の数字の並びで構成するとよい。
【００６８】
このようなレジ袋活用システム３１を利用するには、販売者側は、レジ袋活用プログラムと、顧客に対して頒布性を有する取手１１を用意すればよい。そして、未だ取手１１を所有しない顧客に対して、会計処理時に譲渡する。
【００６９】
すなわち、取手１１未所有の顧客が、取手１１を利用する意思を以って買い物をしたときに、購入商品を入れるように配布するレジ袋１２とともに取手１１を頒布する。顧客は商品をレジ袋１２に入れるとともに、レジ袋１２の提げ手１２ａに取手１１を取り付けて、持ちやすい状態にして持ち帰る。
【００７０】
そして顧客は、商品を取り出して空になったレジ袋１２を、図３に示したように折畳んで、取手１１の収容空間１３内に収納しておき、次の買い物の時に持参する。
【００７１】
販売者側は、レジスタ３２による会計処理（売り上げ登録）に際して、商品のバーコードとともに、レジ袋１２を持参した顧客の取手１１のバーコード２０を読み取って記憶する。そして、記憶した販売データに基づいて、レジ袋１２を無駄にせずに活用してくれたことへの特典として、顧客への適宜サービスを行う。
【００７２】
以下、ホストコンピュータ３３が行う制御動作を、図８のフローチャートを用いて説明する。
【００７３】
まず、レジスタ３２で商品のバーコードをバーコード読取装置３４により読み取ったりキーボード３５で入力したりして、顧客が販売を求める商品の会計処理を行い、売上登録が完了する（ステップｎ１）。そして、顧客がレジ袋１２を持参したと判別した場合には、続いて顧客の持参した取手１１のバーコード２０を、同じくバーコード読取装置３４で読み取る（ステップｎ２）。レジ袋１２の有無は、透視部を形成しておけば、外観から一目で判別可能である。またレジ袋１２は、取手から出して持参されてもよい。
【００７４】
上記ステップｎ２でバーコード２０が読取られると、レジスタ３２からホストコンピュータ３３へ、読み取った取手識別符号が予め登録してある取手識別符号として存在するか否かの問い合わせを実行する問い合わせ処理がなされる（ステップｎ３）。
【００７５】
一方、上記ステップｎ２で取手１１のバーコード２０を読み取る必要がいない場合、すなわちレジ袋１２を持参しない場合や、取手１１を持参しない場合、新規にレジ袋を配布する場合には、取手識別符号なしの旨を、キーボード３５から入力して、識別符号なし処理を実行する（ステップｎ４）。
【００７６】
上記ステップｎ３で問い合わせ信号を受信したホストコンピュータ３３は、問い合わせ信号に応じて、識別符号記憶部４１から対応する取手識別符号を読み出して、対応する取手識別符号をレジスタ３２に対して送信する（ステップｎ５）。対応する取手識別符号がない場合には、なし信号を送信する。
【００７７】
レジスタ３２が信号を受信すると（ステップｎ６）、取手識別符号があるか否かが判定され（ステップｎ７）、ある場合には、レジスタ３２の表示部３６にその旨が表示される（ステップｎ８）。
【００７８】
一方、上記ステップｎ７で識別符号がないと判定された場合には、上記ステップｎ４で識別信号なし処理された場合と同様に、識別符号なし処理が実行される（ステップｎ９）。
【００７９】
レジスタ３２では続いて精算処理（ステップｎ１０）が実行される。このとき予め設定した条件に該当すれば、利用金額に応じた割引サービスやポイント加算サービス等を行い、取手識別符号を付したレシートをレシート発行部３７から発行する。そして最後に、販売商品の商品名や数量、金額等についての販売データが取手識別符号を付してホストコンピュータ３３に送信される（ステップｎ１１）。
【００８０】
ホストコンピュータ３３では、送信されたデータを受信し、登録し（ステップｎ１２）、顧客へのサービスや経営管理等への利用に備える。
【００８１】
顧客へのサービスは、累積購入金額やポイントを考慮した様々な特典で行う。例えば抽選を行って当選者を発表するような、顧客を特定する場合には、バーコードに表示された数字を掲示したりして発表すればよい。
【００８２】
以上のように取手１１は、レジ袋１２に商品を入れて持ち帰るときに、レジ袋１２の提げ手１２ａに取り付けることで、商品が重いものであっても手が痛くならずに容易に持ち運び可能とすることができる。
【００８３】
しかも提げ手１１には、前後方向に貫通するＵ溝状の受け部１４を設け、レジ袋１２の荷重は受け部１４を介して直接的に手で支えるようにしたので、部分的に過度の集中加重が掛からず、強度や耐久性を得られる。
【００８４】
また受け部１４は、前後方向に貫通しただけの簡素な構成であるので、壊れにくく、丈夫である。さらに受け部１４の前後両端にはストッパ部１４ｃを形成しているので、手指が滑ったりしにくく、しっかりと持てる。その上、開閉蓋１５，１６は一体のヒンジ部１７を介して設けており、開閉は簡単で、また開閉蓋１５，１６が収納空間を塞ぐので、収納したレジ袋１２が不測に脱落することを防止することもできる。
【００８５】
このような取手１１であるため、内部に形成した収納空間１３にレジ袋１２を収納して持ち運びし、必要なときにそのレジ袋１２を利用するという目的が確実に果たせる。また、適宜頒布される取手１１を識別するための機械読み取り可能なバーコード２０を設けているので、上述のようなレジ袋活用システムに利用でき、きわめて有用な取手１１である。
【００８６】
また、これまでスーパーマーケット等ごとに別々のカードが、ポイントサービスなどに利用されてきており、利用者側はカードの判別ができないほどであったが、これまでにない特異な取手１１を利用しているので、判別が容易で利用しやすい。
【００８７】
そしてこの取手１１を利用したレジ袋活用システムでは、レジ袋１２を持参した顧客に対しては、購入商品の商品識別符号とともに上記バーコード２０を読み取って管理することで、レジ袋を活用した顧客に対する特典の付与ができる。しかも、取手１１は新規にレジ袋を配布する時に頒布されるものであって、顧客の氏名など、一切の個人情報を得ないので、個人情報が漏れるおそれを完全になくすことができ、システムの輪を広げることに貢献できる。
【００８８】
すなわち、顧客にとっては、上述のように有用な取手１１の存在により、折畳めば小さくなる便利なレジ袋１２を持参することが億劫でなくなり、家庭で出すごみを減らせる上に、特典が得られるという利点がある。
【００８９】
販売者側からすれば、レジ袋１２が使い捨てにされずに有効利用されることで、レジ袋の使用量を減らして経費を削減できるという効果がある。また、導入に当たっては、面倒な登録手続きやそのための書類等や管理の手間等もなく、簡単であるとともに、既存のＰＯＳを利用できるので、費用は少なくてすみ、環境問題に取り組んでいるという良い印象を得ることができる。さらに、顧客を引き付けるような特典を与えることで、システムを導入するエリア内に顧客を囲い込むこともできる。
【００９０】
また、取手識別符号を伴う販売データと、取手識別符号を伴わない販売データとを記憶し、整理することで、顧客の動向を知ることができ、営業活動等に役立つという利点も有する。さらに特異な取手１１を媒体として用いるので、他との差別化を図ることができるという効果も有する。
【００９１】
このように店側にとっても、経費をかけずに大きな利益が得られる。
【００９２】
しかも、このレジ袋活用システムでは、適用するエリアは例えば市町村単位にでも広げられるので、地域が主体となっての導入が容易で、さらに顧客にとっては、例えば商品に応じて店を選んで買い物しても、また異種類の商品を複数の店で購入しても、同じように特典やサービスを受けることができる利点があり、資源の有効利用を可能とする運動を無理なく拡大させることができる。
【００９３】
適用するエリアの拡大は、レジ袋活用システム３１に、図６に仮想線で示したように上位機器４２を設け、この上位機器４２が上述のホストコンピュータ３３同様の制御動作をするレジ袋活用プログラムに従って駆動するように構成して行うとよい。所望のエリアを設定し、インターネット等によるネットワークを組むことによって自由に行える。エリアの設定は、例えば支店間やチェーン店間、商店会、町や区、市町村などという地域等、適宜設定できる。これまでにないグローバルな展開ができ、特に環境保全運動等、有益な社会運動を拡大するのに効果的である。
【００９４】
以上のように頒布性を有する丈夫で有用な取手１１を利用して、顧客の利便性を確保しながらも、これまで使い捨てにされていたレジ袋を無駄なく利用可能にすることができることになる。
【００９５】
なお、上記ステップ２において、顧客が持参した買い物袋１５が破れたり濡れたりしていて使用不可能な場合には、新しい買い物袋を配布して、古い買い物袋を回収し適切に処分するように設定しておくと、買い物袋持参運動の拡大と、環境保全により一そう貢献出来る。
【００９６】
また、このシステムでは、顧客が持参するレジ袋１２は、レジ袋１２に限られず、顧客が持参する適宜の買い物袋であるもよい。取手１１は、前後方向に貫通する受け部１４を有した構成であるので、ループ状の提げ手があればどのような買い物袋にでも取り付け可能である。
【００９７】
この発明の構成は、上述の発明の一実施の形態との対応において、
取手識別符号は、バーコード２０に対応し、
読取装置は、バーコード読取装置３４に対応し、
記憶装置は、ホストコンピュータ３３に対応するも、
この発明は上記構成のみに限定されるものではない。
【００９８】
例えば、取手の取手識別符号を読取る読取装置には、既存のＰＯＳを利用せずに特別に構成した装置を用いるもよい。スーパ等のような店舗のみではなく、あらゆる販売活動の現場で対応できるようにシステムを構成することができる。
【図面の簡単な説明】
【図１】取手とその使用状態の斜視図。
【図２】取手の断面図。
【図３】取手の断面図。
【図４】取手の正面図。
【図５】取手の作用状態の説明図。
【図６】レジ袋活用システムの概観を示す説明図。
【図７】レジ袋活用システムの構成を示すブロック図。
【図８】処理動作を示すフローチャート。
【符号の説明】
１１…レジ袋用取手
１２…レジ袋
１２ａ…提げ手
１３…収納空間
１４…受け部
１４ａ…介在部
１４ｂ…規制片
１５，１６…開閉蓋
１７…ヒンジ部
２０…バーコード
３１…レジ袋活用システム
３２…レジスタ
３３…ホストコンピュータ
３４…バーコード読取装置
３９…記憶媒体
４１…識別符号記憶部
４２…販売データ記憶部
４２…上位機器
【図１】
2004337211.tif 000003
【図２】
2004337211.tif 000004
【図３】
2004337211.tif 000005
【図４】
2004337211.tif 000006
【図５】
2004337211.tif 000007
【図６】
2004337211.tif 000008
【図７】
2004337211.tif 000009
【図８】
2004337211.tif 000010